(57)【要約】【課題】運搬や取扱いが容易で、かつ、幼木の成長後に撤去する必要がない幼木保護具を提供する。【解決手段】幼木保護具３は、幼木２を筒状に囲ってその幼木２を鳥獣から保護するものであって、縦に延び横に間隔を空けて並ぶ複数本の保護部材６、６と、屈曲または湾曲可能であって複数本の保護部材６、６を離れないように連結する連結材７とを備える。そして、これら保護部材６と連結材７とは、生分解性または天然の材料からなる。この連結材７としては、ネットまたはシートからなる中間部連結材７ａが設けられ、その中間部連結材７ａは、土上１ａに位置して幼木２の周りを覆うようにしてその幼木２を鳥獣から保護する。また、連結材７として、保水紙からなり土中１ｂに配置される下端側連結材７ｂが設けられる。さらに、連結材７として、上端部連結材７ｃが設けられる。【選択図】  図５
2017139996.tif 000002
【特許請求の範囲】
【請求項１】
幼木を筒状に囲ってその幼木を鳥獣から保護する幼木保護具であって、
縦に延び横に間隔を空けて並ぶ複数本の保護部材と、屈曲または湾曲可能であって前記複数本の保護部材を離れないように連結する連結材とを備え、
前記保護部材と前記連結材とは、生分解性または天然の材料からなる、幼木保護具。
【請求項２】
前記幼木保護具は、前記連結材として、ネットまたはシートからなり前記保護部材の中間部に設けられて土上に位置し前記幼木の周りを覆うようにしてその幼木を鳥獣から保護する、中間部連結材を備える、請求項１に記載の幼木保護具。
【請求項３】
前記幼木保護具は、前記連結材として、保水紙からなり前記保護部材の下端側に設けられて土中に配置される、下端側連結材を備える、請求項１または２に記載の幼木保護具。
【請求項４】
前記幼木保護具は、前記連結材として、前記保護部材の上端部に設けられて土上に位置する、上端部連結材を備える、請求項１ないし３のいずれか１項に記載の幼木保護具。
【請求項５】
前記保護部材または／および土上に位置する前記連結材の一つもしくは複数は、鳥獣を忌避する忌避機能を有する、請求項１ないし４のいずれか１項に記載の幼木保護具。
【請求項６】
請求項１ないし５のいずれか１項に記載の幼木保護具を備え、かつ、
前記連結材で連結された前記保護部材が前記幼木を囲うように並べられて形成される筒状形状の、上端部の開口が拡大するのを規制するよう、その上端部に取り付けられる上端部保持材を備え、
前記上端部保持材は、生分解性または天然の材料からなる、幼木保護装置。
【請求項７】
複数本ある前記保護部材のうち少なくとも一本は、上端が、他の保護部材の上端に比して下方に位置するように控えて設けられ、
前記上端部保持材は、前記保護部材により形成される前記筒状形状の外側に嵌められる筒体からなる、請求項６に記載の幼木保護装置。
【請求項８】
前記上端部保持材は、鳥獣を忌避する忌避機能を有する、請求項６または７に記載の幼木保護装置。
【請求項９】
前記保護部材により形成される前記筒状形状の土上の中間位置において、その筒状形状の内側に配置されてその筒状形状が縮小するのを規制する中間部筒体を備え
前記中間部筒体は、生分解性または天然の材料からなる、請求項６ないし８のいずれか１項に記載の幼木保護装置。
【請求項１０】
前記中間部筒体は、鳥獣を忌避する忌避機能を有する、請求項９に記載の幼木保装置。
【請求項１１】
請求項１ないし５のいずれか１項に記載の幼木保護具を用いた幼木保護構造であって、
前記連結材で連結された前記保護部材が、前記幼木を筒状に囲うように並べられるとともに、下端側が土中に埋められて立てられている、幼木保護構造。
【請求項１２】
請求項６ないし８のいずれか１項に記載の幼木保護装置を用いた幼木保護構造であって、
前記連結材で連結された前記保護部材が、前記幼木を筒状に囲うように並べられるとともに、下端側が土中に埋められて立てられ、
前記上端部保持材が、前記保護部材により形成される前記筒状形状の上端部に取り付けられている、幼木保護構造。
【請求項１３】
請求項９または１０に記載の幼木保護装置を用いた幼木保護構造であって、
前記連結材で連結された前記保護部材が、前記幼木を筒状に囲うように並べられるとともに、下端側が土中に埋められて立てられ、
前記上端部保持材が、前記保護部材により形成される前記筒状形状の上端部に取り付けられ、
前記中間部筒体が、前記保護部材により形成される前記筒状形状の土上の中間位置において、その筒状形状の内側に配置されている、幼木保護構造。
【発明の詳細な説明】
【技術分野】
【０００１】
この発明は、鳥獣から幼木を保護する、幼木保護具、幼木保護装置および幼木保護構造に関するものである。
【背景技術】
【０００２】
従来、幼木としての苗木を囲うように設置することでその苗木を保護する苗木保護具があった（例えば、特許文献１参照）。この苗木保護具は、一対の保護板からなり、各保護板を湾曲させて半円状の保護板とし、それら保護板を繋ぐことで、筒状に一体化するものであった。そして、この筒状となった苗木保護具を苗木を囲うように被せることで、苗木を保護していた。
【先行技術文献】
【特許文献】
【０００３】
【特許文献１】特許第３４３２５８８号公報
【発明の概要】
【発明が解決しようとする課題】
【０００４】
ところで、前記従来の苗木保護具（幼木保護具）にあっては、一対の保護板からなることから、その運搬は容易であるものの、苗木（幼木）がある程度成長した後には、撤去する必要があり、その作業が面倒であった。
【０００５】
この発明は、上記した従来の欠点を解決するためになされたものであり、その目的とするところは、運搬や取扱いが容易で、かつ、幼木の成長後に撤去する必要がない幼木保護具、幼木保護装置および幼木保護構造を提供することにある。
【課題を解決するための手段】
【０００６】
この発明に係る幼木保護具、幼木保護装置および幼木保護構造は、前記目的を達成するために、次の構成からなる。すなわち、
請求項１に記載の発明に係る幼木保護具は、幼木を筒状に囲ってその幼木を鳥獣から保護する幼木保護具である。この幼木保護具は、縦に延び横に間隔を空けて並ぶ複数本の保護部材と、屈曲または湾曲可能であって前記複数本の保護部材を離れないように連結する連結材とを備える。そして、前記保護部材と前記連結材とは、生分解性または天然の材料からなる。
【０００７】
この幼木保護具によると、複数本の保護部材が屈曲または湾曲可能な連結材で連結されていることから、この幼木保護具をシート状に広げて複数枚を重ねたり、柱状に丸めて複数本を束ねたりして運搬することができ、また、連結材で連結された保護部材を、幼木を筒状に囲うように簡単に並べることができ、これによって、幼木保護具の運搬や取扱いが容易となる。そして、幼木保護具は、保護部材が幼木を筒状に囲うように並べられることで、幼木を鳥獣から保護することができる。また、幼木保護具は、保護部材と連結材とが、生分解性または天然の材料からなることから、幼木の成長後も、この幼木保護具を放置しても問題はなく、撤去する必要がない。
【０００８】
また、請求項２に記載の発明に係る幼木保護具は、請求項１に記載の幼木保護具において、前記連結材として、ネットまたはシートからなり前記保護部材の中間部に設けられて土上に位置して前記幼木の周りを覆うようにしてその幼木を鳥獣から保護する、中間部連結材を備える。保護部材に加えて、ネットまたはシートからなる中間部連結材を備えることでも、幼木を保護することができる。
【０００９】
また、請求項３に記載の発明に係る幼木保護具は、請求項１または２に記載の幼木保護具において、前記連結材として、保水紙からなり前記保護部材の下端側に設けられて土中に配置される、下端側連結材を備える。保水紙からなり土中に配置される下端側連結材を備えることで、土中にて水分を保持し、幼木の生育を助けることができる。
【００１０】
また、請求項４に記載の発明に係る幼木保護具は、請求項１ないし３のいずれか１項に記載の幼木保護具において、前記連結材として、前記保護部材の上端部に設けられて土上に位置する、上端部連結材を備える。
【００１１】
また、請求項５に記載の発明に係る幼木保護具は、請求項１ないし４のいずれか１項に記載の幼木保護具において、前記保護部材または／および土上に位置する前記連結材の一つもしくは複数は、鳥獣を忌避する忌避機能を有する。保護部材または／および土上に位置する連結材の一つもしくは複数が忌避機能を有することで、鳥獣が、保護部材あるいは連結材、ひいては幼木に近づき難くなる。
【００１２】
また、請求項６に記載の発明に係る幼木保護装置は、請求項１ないし５のいずれか１項に記載の幼木保護具を備える。そして、幼木保護装置は、前記連結材で連結された前記保護部材が前記幼木を囲うように並べられて形成される筒状形状の、上端部の開口が拡大するのを規制するよう、その上端部に取り付けられる上端部保持材を備える。そこで、この上端部保持材は、生分解性または天然の材料からなる。幼木保護具に上端部保持材が加わることで、保護部材が幼木を囲うように並べられて形成される筒状形状の、上端部の開口が拡大するのを防ぐことができる。そして、この上端部保持材もまた、生分解性または天然の材料からなることから、幼木の成長後も、この上端部保持材を放置しても問題はなく、撤去する必要がない。
【００１３】
また、請求項７に記載の発明に係る幼木保護装置は、請求項６に記載の幼木保護装置において、複数本ある前記保護部材のうち少なくとも一本は、上端が、他の保護部材の上端に比して下方に位置するように控えて設けられる。そして、前記上端部保持材は、前記保護部材により形成される前記筒状形状の外側に嵌められる筒体からなる。これにより、上端が下方に位置するように控えて設けられた保護部材は、筒体である上端部保持材との掛かりが少なくなり、経年により保護部材が風化していくとき、上端部保持材が、保護部材から外れやすくなる。
【００１４】
また、請求項８に記載の発明に係る幼木保護装置は、請求項６または７に記載の幼木保護装置において、前記上端部保持材は、鳥獣を忌避する忌避機能を有する。上端部保持材が忌避機能を有することで、鳥獣が、上端部保持材、ひいては幼木に近づき難くなる。
【００１５】
また、請求項９に記載の発明に係る幼木保護装置は、請求項６ないし８のいずれか１項に記載の幼木保護装置において、前記保護部材により形成される前記筒状形状の土上の中間位置において、その筒状形状の内側に配置されてその筒状形状が縮小するのを規制する中間部筒体を備える。そこで、この中間部筒体は、生分解性または天然の材料からなる。中間部筒体を設けることで、保護部材により形成される筒状形状の内側に、幼木の生育に必要なスペースを確保することができる。そして、この中間部筒体もまた、生分解性または天然の材料からなることから、幼木の成長後も、この中間部筒体を放置しても問題はなく、撤去する必要がない。
【００１６】
また、請求項１０に記載の発明に係る幼木保護装置は、請求項９に記載の幼木保護装置において、前記中間部筒体は、鳥獣を忌避する忌避機能を有する。中間部筒体が忌避機能を有することで、鳥獣が、中間部筒体、ひいては幼木に近づき難くなる。
【００１７】
また、請求項１１に記載の発明に係る幼木保護構造は、請求項１ないし５のいずれか１項に記載の幼木保護具を用いた幼木保護構造であって、前記連結材で連結された前記保護部材が、前記幼木を筒状に囲うように並べられるとともに、下端側が土中に埋められて立てられている。
【００１８】
また、請求項１２に記載の発明に係る幼木保護構造は、請求項６ないし８のいずれか１項に記載の幼木保護装置を用いた幼木保護構造であって、前記連結材で連結された前記保護部材が、前記幼木を筒状に囲うように並べられるとともに、下端側が土中に埋められて立てられている。そして、前記上端部保持材が、前記保護部材により形成される前記筒状形状の上端部に取り付けられている。
【００１９】
また、請求項１３に記載の発明に係る幼木保護構造は、請求項９または１０に記載の幼木保護装置を用いた幼木保護構造であって、前記連結材で連結された前記保護部材が、前記幼木を筒状に囲うように並べられるとともに、下端側が土中に埋められて立てられている。そして、前記上端部保持材が、前記保護部材により形成される前記筒状形状の上端部に取り付けられている。さらに、前記中間部筒体が、前記保護部材により形成される前記筒状形状の土上の中間位置において、その筒状形状の内側に配置されている。
【発明の効果】
【００２０】
この発明に係る幼木保護具、幼木保護装置および幼木保護構造によれば、次の効果がある。
【００２１】
請求項１から５に記載された幼木保護具、および請求項１１に記載された幼木保護構造によれば、幼木保護具が、複数本の保護部材が屈曲または湾曲可能な連結材で連結され、かつ、それら保護部材および連結材が、生分解性または天然の材料からなることから、運搬や取扱いが容易で、かつ、幼木の成長後に撤去する必要がない。
【００２２】
請求項６、７および８に記載された幼木保護装置、ならびに、請求項１２に記載された幼木保護構造によれば、幼木保護具が、複数本の保護部材が屈曲または湾曲可能な連結材で連結され、かつ、それら保護部材および連結材、さらには、上端部保持材が、生分解性または天然の材料からなることから、運搬や取扱いが容易で、かつ、幼木の成長後に撤去する必要がない。
【００２３】
請求項９および１０に記載された幼木保護装置、ならびに、請求項１３に記載された幼木保護構造によれば、幼木保護具が、複数本の保護部材が屈曲または湾曲可能な連結材で連結され、かつ、それら保護部材および連結材、さらには、上端部保持材および中間部筒体が、生分解性または天然の材料からなることから、運搬や取扱いが容易で、かつ、幼木の成長後に撤去する必要がない。
【図面の簡単な説明】
【００２４】
【図１】この発明の一実施の形態の、幼木保護具の正面図である。
【図２】同じく、幼木保護具の右側面図である。
【図３】同じく、幼木保護具の背面図である。
【図４】同じく、図１におけるＡ−Ａ線による拡大断面図である。
【図５】同じく、幼木保護構造の模式図である。
【図６】この発明の他の実施の形態の、幼木保護具の正面図である。
【図７】同じく、幼木保護構造の上部部分を示す模式図である。
【図８】この発明のさらに他の実施の形態の、幼木保護構造の模式図である。
【発明を実施するための形態】
【００２５】
以下、この発明に係る幼木保護具、幼木保護装置および幼木保護構造を実施するための形態を図面に基づいて説明する。
【００２６】
図１〜図５は、本発明の一実施の形態を示す。図中符号１は、土面を示し、１ａは、土上を示し、１ｂは、土中を示す。２は、幼木を示す。３は、幼木保護具を示す。４は、幼木保護装置を示す。５は、幼木保護構造を示す。
【００２７】
ここで、幼木保護具３は、幼木２を筒状に囲ってその幼木２を、鹿、野兎、鳥等の鳥獣から保護するものであって、縦に延び横に間隔を空けて並ぶ複数本の保護部材６、６と、屈曲または湾曲可能であって前記複数本の保護部材６、６を離れないように連結する連結材７とを備える。そして、保護部材６と連結材７とは、生分解性または天然の材料からなる。
【００２８】
詳細には、幼木保護具３は、連結材７として、ネットまたはシート（図示実施の形態においては、ネット）からなり保護部材６の中間部（つまり、長手方向の中間部）に設けられて土上１ａに位置し幼木２の周りを覆うようにしてその幼木２を鳥獣から保護する、中間部連結材７ａを備える。また、幼木保護具３は、連結材７として、保水紙からなり保護部材６の下端側に設けられて土中１ｂに配置される、下端側連結材７ｂを備える。さらに、幼木保護具３は、連結材７として、保護部材６の上端部に設けられて土上１ａに位置する、上端部連結材７ｃを備える。
【００２９】
そして、保護部材６または／および土上１ａに位置する連結材７（図示実施の形態においては中間部連結材７ａおよび上端部連結材７ｃ）の一つもしくは複数は、鳥獣を忌避する忌避機能を有する。
【００３０】
幼木保護装置４は、前記幼木保護具３を備え、かつ、連結材７で連結された保護部材６、６が幼木２を囲うように並べられて形成される筒状形状の、上端部の開口８が拡大するのを規制するよう、その上端部に取り付けられる上端部保持材９を備える。そして、この上端部保持材９は、生分解性または天然の材料からなる。詳細には、上端部保持材９は、保護部材６、６により形成される前記筒状形状の外側に嵌められる筒体からなる。そして、この上端部保持材９は、鳥獣を忌避する忌避機能を有する。
【００３１】
また、幼木保護装置４は、保護部材６、６により形成される前記筒状形状の土上１ａの中間位置において、その筒状形状の内側に配置されてその筒状形状が縮小するのを規制する中間部筒体１０を備える。そして、この中間部筒体１０は、生分解性または天然の材料からなる。また、この中間部筒体１０は、鳥獣を忌避する忌避機能を有する。
【００３２】
幼木保護構造５は、前記幼木保護具３あるいは前記幼木保護装置４を用いた保護構造であって、連結材７で連結された保護部材６、６が、幼木２を筒状に囲うように並べられるとともに、下端側が土中１ｂに埋められて立てられている。そして、上端部保持材９が、保護部材６、６により形成される前記筒状形状の上端部に取り付けられている。詳細には、上端部保持材９は、筒体からなり、前記筒状形状の上端部の外側に嵌められる。さらに、中間部筒体１０が、保護部材６、６により形成される前記筒状形状の土上１ａの中間位置において、その筒状形状の内側に配置されている。
【００３３】
具体的には、保護部材６は、棒状あるいは板状であって、縦（つまり、上下）に延びる。そして、この保護部材６は、天然の材料である竹からなる。詳細には、保護部材６は、竹を割ることで、その竹の周壁が縦に分断されて形成される、横断面が略長方形状の、棒状あるいは板状の竹片からなる。そして、幼木保護具３において、保護部材６は、複数本、例えば６〜１０本（図示実施の形態においては、８本）用いられ、それら保護部材６、６が、横に間隔を空けて並べられる。もっとも、保護部材６の本数は、６〜１０本に限定されるわけではなく、５本以下であっても、１１本以上であってもよい。
【００３４】
また、連結材７にあっては、中間部連結材７ａは、ネットからなり、このネットの材料としては、麻とか綿等の天然の繊維素材（天然の材料）が用いられたり、生分解性を有する合成樹脂繊維素材あるいは合成樹脂素材（生分解性の材料）が用いられたりする。そして、中間部連結材７ａは、各保護部材６、６に掛け渡されるようにして、例えば接着剤により各保護部材６、６に接着されて取り付けられる。
【００３５】
下端側連結材７ｂは、保水紙、つまり保水機能を有する紙からなり、この保水紙は、天然の繊維素材（天然の材料）とか、生分解性を有する合成樹脂繊維素材（生分解性の材料）を材料とする。そして、下端側連結材７ｂは、各保護部材６、６に掛け渡されるようにして、例えば接着剤により各保護部材６、６に接着されて取り付けられる。
【００３６】
上端部連結材７ｃは、片面に粘着剤が塗布されたテープ（例えば、紙テープ）からなり、このテープは、天然の繊維素材（天然の材料）とか、生分解性を有する合成樹脂繊維素材あるいは合成樹脂素材（生分解性の材料）を材料とする。そして、上端部連結材７ｃは、各保護部材６、６を挟むようにして互いに貼り合わされて、各保護部材６、６に取り付けられる（図４参照）。
【００３７】
上端部保持材９（詳細には、筒体）および中間部筒体１０は、紙管からなり、この紙管は、天然の繊維素材（天然の材料）とか、生分解性を有する合成樹脂繊維素材（生分解性の材料）を材料とする。
【００３８】
また、保護部材６、連結材７、上端部保持材９あるいは中間部筒体１０への忌避機能の付与は、忌避剤として、カプサイシンを含む液とかオオカミの尿のにおいを含む液を、含浸させたり塗布したりする。これにより、鳥獣が忌避剤のにおいを嫌がり、幼木２に近づき難くなる。
【００３９】
そして、幼木保護構造５においては、保護部材６が幼木２を囲うように並べられて形成される筒状形状は、中間が径大であって両端が径小となるいわば樽形状となっている。もっとも、この筒状形状は、樽形状に限るものではなく、円筒形状であったり、円錐台形状あるいは逆円錐台形状等、幼木２を囲うように筒状に形成されていればどのような形状でもよい。
【００４０】
次に、以上の構成からなる幼木保護具３、その幼木保護具３を備える幼木保護装置４、および、幼木保護具３あるいは幼木保護装置４を用いた幼木保護構造５の作用効果について説明する。幼木保護具３にあっては、複数本の保護部材６、６が屈曲または湾曲可能な連結材７で連結されていることから、この幼木保護具３をシート状に広げて複数枚を重ねたり、柱状に丸めて複数本を束ねたりして運搬することができ、また、連結材７で連結された保護部材６、６を、幼木２を筒状に囲うように簡単に並べることができ、これによって、幼木保護具３の運搬や取扱いが容易となる。そして、幼木保護具３は、保護部材６、６が幼木２を筒状に囲うように並べられることで、幼木２を鳥獣から保護することができる。また、幼木保護具３は、保護部材６と連結材７とが、生分解性または天然の材料からなることから、幼木２の成長後も、この幼木保護具３を放置しても問題はなく、撤去する必要がない。すなわち、幼木保護具３が、複数本の保護部材６、６が屈曲または湾曲可能な連結材７で連結され、かつ、それら保護部材６および連結材７が、生分解性または天然の材料からなることから、運搬や取扱いが容易で、かつ、幼木２の成長後に撤去する必要がない。
【００４１】
また、幼木保護具３は、連結材７として、ネットまたはシート（図示実施の形態においては、ネット）からなる中間部連結材７ａを備えている。このため、保護部材６に加えて、この中間部連結材７ａによっても、幼木２を保護することができる。
【００４２】
また、幼木保護具３は、連結材３として、保水紙からなり土中１ｂに配置される下端側連結材７ｂを備えている。このため、この下端側連結材７ｂによって、土中１ｂにて水分を保持し、幼木２の生育を助けることができる。
【００４３】
また、幼木保護具３に上端部保持材９が加わることで、保護部材６、６が幼木２を囲うように並べられて形成される筒状形状の、上端部の開口８が拡大するのを防ぐことができる。そして、この上端部保持材９が、生分解性または天然の材料からなることから、幼木２の成長後も、この上端部保持材９を放置しても問題はなく、撤去する必要がない。すなわち、幼木保護具３が、複数本の保護部材６、６が屈曲または湾曲可能な連結材７で連結され、かつ、それら保護部材６および連結材７、さらには、上端部保持材９が、生分解性または天然の材料からなることから、幼木保護具３や幼木保護装置４は、運搬や取扱いが容易で、かつ、幼木保護具３および上端部保持材９は、幼木２の成長後に撤去する必要がない。
【００４４】
さらに、幼木保護具３の保護部材６、６により形成される筒状形状の土上１ａの中間位置に中間部筒体１０を設けることで、前記筒状形状の内側に、幼木２の生育に必要なスペースを確保することができる。そして、この中間部筒体１０が、生分解性または天然の材料からなることから、幼木２の成長後も、この中間部筒体１０を放置しても問題はなく、撤去する必要がない。すなわち、幼木保護具３が、複数本の保護部材６、６が屈曲または湾曲可能な連結材７で連結され、かつ、それら保護部材６および連結材７、さらには、上端部保持材９および中間部筒体１０が、生分解性または天然の材料からなることから、幼木保護具３や幼木保護装置４は、運搬や取扱いが容易で、かつ、幼木保護具３、上端部保持材９および中間部筒体１０は、幼木２の成長後に撤去する必要がない。
【００４５】
また、保護部材６または／および土上１ａに位置する連結材７の一つもしくは複数が忌避機能を有することで、鳥獣が、保護部材６あるいは連結材７、ひいては幼木２に近づき難くなる。そして、上端部保持材９とか中間部筒体１０が忌避機能を有することで、鳥獣が、上端部保持材９とか中間部筒体１０、ひいては幼木２に近づき難くなる。
【００４６】
なお、本発明は、上述した実施の形態に限定されるわけではなく、その他種々の変更が可能である。例えば、横に間隔を空けて並ぶ保護部材６、６は、その上端が揃っていなくとも、図６および図７に示すように、複数本ある保護部材６、６のうち少なくとも１本、好ましくは複数本（図示実施の形態においては８本ある保護部材６、６のうち、半数の４本）は、上端が、他の保護部材６の上端に比して下方に位置するように控えて設けられてもよい。これにより、上端が下方に位置するように控えて設けられた保護部材６は、筒体である上端部保持材９との掛かりが少なくなり、経年により保護部材６、６が風化していくとき、上端部保持材９が、保護部材６、６から外れやすくなる。また、図示実施の形態においては、保護部材６、６は、全て同一長さであって、１本置きに長手方向（上下方向）にずれて配置されているが、１本置きに短い保護部材６を用いることで、全ての保護部材６、６の下端を揃えるようにしてもよい。また、これら図６および図７に示す例においては、上端部連結材７ｃは、設けられていないが、この上端部連結材７ｃを設けるようにしてもよい。
【００４７】
また、保護部材６は、竹を割って形成される竹片からなるが、細い竹であれば、割ることなくそのまま用いてもよい。また、保護部材６は、竹からならなくとも、木片等、その他の植物を用いたものでもよく、さらには、生分解性を有する合成樹脂からなっていてもよい。
【００４８】
また、中間部連結材７ａは、ネットからなるが、生分解性または天然の材料からなるものであれば、シートからなってもよい。
【００４９】
また、忌避機能の付与にあたっては、忌避剤を用いる以外に、例えば、上端部保持材９に、生分解性または天然の材料からなる、テープとか紐（特に、赤色のテープとか紐）等の線状材１１を垂れ下がるように取り付けてもよく（図８参照）、また、この際、線状材１１の中間部分を、保護部材６に貼り付けて、保護部材６に沿わせるようにしてもよい。また、忌避機能の付与にあたっては、ネット等からなる中間部連結材７ａに、起毛処理（特に、長めの起毛処理）を施してもよい（図示せず）。この起毛処理にあたっては、例えば、中間部連結材７ａに、接着剤を吹き付け、生分解性または天然の材料からなる繊維を付けるようにしてもよい。これにより、鳥獣が、取り付けられた線状材１１、あるいは起毛処理された毛の先端に、鼻があたるのを嫌い、幼木２に近づき難くなる。
【００５０】
また、保護部材６、連結材７、上端部保持材９あるいは中間部筒体１０への忌避機能の付与は、幼木保護具３、幼木保護装置４、そして幼木保護構造５への付加的要素であり、必要なければ付与しなくてもよい。
【００５１】
また、上端部保持材９は、筒体からなり、その筒体は、紙管からなっているが、筒体は、生分解性を有する合成樹脂管からなっていてもよい。また、上端部保持材９は、筒体からならなくとも、前記筒状形状の上端部の外側に巻き付けられる、生分解性または天然の材料からなる、テープとか紐からなっていてもよい。
【００５２】
また、中間部筒体１０は、紙管からなっているが、生分解性を有する合成樹脂管からなっていてもよい。
【００５３】
また、連結材７は、少なくとも一つあるいは二つあればよく、図示実施の形態の全てを必要とするものではない。また、反対に、連結材７は、四つ以上設けられても構わない。また、上端部保持材９と中間部筒体１０の一方あるいは両方は、必要なければ無くともよい。また、反対に、中間部筒体１０は、二つ以上設けられても構わない。
【符号の説明】
【００５４】
１ａ  土上
１ｂ  土中
２  幼木
３  幼木保護具
４  幼木保護装置
５  幼木保護構造
６  保護部材
７  連結材
７ａ  中間部連結材
７ｂ  下端側連結材
７ｃ  上端部連結材
８  開口
９  上端部保持材
１０  中間部筒体
【図１】
2017139996.tif 000003
【図２】
2017139996.tif 000004
【図３】
2017139996.tif 000005
【図４】
2017139996.tif 000006
【図５】
2017139996.tif 000007
【図６】
2017139996.tif 000008
【図７】
2017139996.tif 000009
【図８】
2017139996.tif 000010